(57)【要約】【課題】所望の場面より前の場面から記録を行う。【解決手段】入力端子１には、例えば受信機（図示せず）で受信されたテレビジョン放送の映像及び音声信号が供給される。そしてこの入力端子１に供給された映像及び音声信号が分配器２及び切り換えスイッチ３を通じて記録手段４に供給される。さらにこの記録手段４からの再生信号が出力端子５に取り出される。それと共に、分配器２によって、映像及び音声信号が記憶手段６に常時供給されている。そしてこの記憶手段６に記憶された映像及び音声信号が切り換えスイッチ３を通じて記録手段４に供給される。さらに切り換えスイッチ３及び記録手段４の動作は、例えば制御用のマイクロコンピュータ１００によって制御される。またこのマイクロコンピュータ１００には記録開始の操作を行う記録操作スイッチ７及びその表示手段８が接続される。【選択図】図１
2006211707.tif 000002
【特許請求の範囲】
【請求項１】
映像信号を記録する記録手段と、
入力された映像信号を常時記憶し、所定時間分遅延された映像信号が取り出されてなる記憶手段を有し、
記録開始操作がなされたとき、上記記憶手段に記憶された映像信号が上記記録手段に記録されると共に、
記録停止走査がなされたとき、上記所定時間分遅らせて上記記録手段の記録を停止させる
ことを特徴とする記録装置。
【請求項２】
請求項１記載の記録装置において、
上記記録開始操作を行う操作手段を備える
ことを特徴とする記録装置。
【請求項３】
請求項１記載の記録装置において、
上記記録停止操作によって、上記記憶手段に記憶された映像信号の上記記録手段への記録が停止される
ことを特徴とする記録装置。
【請求項４】
請求項１記載の記録装置において、
上記入力された映像信号と上記記憶手段からの遅延された映像信号とを切り換える切換手段を備える
ことを特徴とする記録装置。
【請求項５】
請求項１記載の記録装置において、
上記記憶手段には入力される映像信号が圧縮されて記憶され伸長されて取り出される
ことを特徴とする記録装置。
【請求項６】
請求項１記載の記録装置において、
上記記録開始操作によって上記記憶手段に記憶された映像信号が上記記録手段に記録される際には、
記憶された映像信号が任意のフレームまたはフィールドごとに間引かれて取り出される
ことを特徴とする記録装置。
【請求項７】
請求項６記載の記録装置において、
上記入力された映像信号と上記記憶手段からの遅延された映像信号とを切り換える切換手段を備え、
上記記憶手段から取り出される映像信号が上記入力される映像信号に追いついたとき、上記切換手段を切り換えるようにした
ことを特徴とする記録装置。
【請求項８】
請求項１記載の記録装置において、
上記映像信号と共に音声信号の上記所定時間分を記憶する音声記憶手段が設けられ、
上記音声記憶手段には入力される音声信号が常時記憶されて上記所定時間分遅延された音声信号が取り出されてなり、
記録開始操作によって上記音声記憶手段に記憶された音声信号が上記映像信号と共に上記記録手段に記録される
ことを特徴とする記録装置。
【請求項９】
請求項８記載の記録装置において、
上記記憶手段には、上記入力される映像信号が圧縮されて記憶され伸張されて取り出されると共に、入力される音声信号が圧縮されずに記憶され取り出される
ことを特徴とする記録装置。
【請求項１０】
請求項８記載の記録装置において、
上記音声記憶手段には入力される音声信号が圧縮されて記憶され伸長されて取り出される
ことを特徴とする記録装置。
【発明の詳細な説明】
【技術分野】
【０００１】
本発明は、例えばテレビジョン放送の記録を行う際に使用して好適な記録装置に関するものである。
【背景技術】
【０００２】
従来の技術では、所定時間分遅延された映像信号を記録している（例えば、特許文献１参照。）。
【０００３】
また、映像信号を任意のフレームごとに間引いて所定時間の遅延を徐々に解消しているものもある（例えば、特許文献２参照。）。
【０００４】
しかしながら、上述の技術ではいずれも、本願発明の要旨とする記録停止操作がなされたとき、所定時間分遅らせて記録手段の記録を停止させることについては記載されていないものである。
【特許文献１】特開平７−１２３４０１号公報
【特許文献２】特開平７−２３１４２１号公報
【発明の開示】
【発明が解決しようとする課題】
【０００５】
例えばテレビジョン放送の視聴中にその場面を記録したくなる場合がある。しかしながら従来の例えば一般的なＶＴＲ装置では、記録操作が行われてから記録が開始されるものであり、従って、例えばテレビジョン放送の視聴中に記録したい場面を見てから記録操作を行っても、記録されるのはその場面より後の場面だけであった。
【０００６】
これに対して、例えば監視用のＶＴＲ装置においては、記録媒体を循環させて常に記録を行っておき、記録すべき出来事が発生したときに記録を停止するようにした装置が実施されている。これによって、その出来事が発生する以前の記録媒体の循環に要する時間分の映像信号等の記録を残すことができる。
【０００７】
しかしながらこの装置では、記録媒体を循環させるなどの特別な構成が必要であり、例えば一般的なＶＴＲ装置等に適用することは困難である。また記録媒体が磁気テープ等の場合には、繰り返し記録が行われることによる劣化の問題があり、記録媒体を頻繁に交換するための操作性や、経済性の面で問題が生じるものである。
【０００８】
この出願はこのような点に鑑みて成されたものであって、解決しようとする問題点は、従来の一般的な装置では、例えばテレビジョン放送の視聴中に記録したい場面を見てから記録操作を行っても、記録されるのはその場面より後の場面だけであったというものである。
【課題を解決するための手段】
【０００９】
このため本発明においては、所定時間分の信号を記憶する記憶手段を設け、記憶手段に記憶された信号を記録手段に記録するようにしたものであって、これによれば、記録操作を行う以前の所定時間分の信号を記憶して、所望の場面より前の場面から記録を行うことができ、所望の場面を確実に記録することができる。
【発明の効果】
【００１０】
請求項１の発明によれば、映像信号を記録する記録手段と、入力された映像信号を常時記憶し、所定時間分遅延された映像信号が取り出されてなる記憶手段を有し、記録開始操作がなされたとき、記憶手段に記憶された映像信号が記録手段に記録されると共に、記録停止走査がなされたとき、所定時間分遅らせて記録手段の記録を停止させることによって、記録操作を行う以前の所定時間分の信号を記憶して、所望の場面より前の場面から記録を行うことができ、所望の場面を確実に記録することができるものである。
【００１１】
また、請求項２の発明によれば、記録開始操作を行う操作手段を備えることによって、使用者の判断で記録開始を行うことができるものである。
【００１２】
請求項３の発明によれば、記録停止操作によって、記憶手段に記憶された映像信号の記録手段への記録が停止されることによって、使用者の判断で記録停止を行うことができるものである。
【００１３】
請求項４の発明によれば、入力された映像信号と記憶手段からの遅延された映像信号とを切り換える切換手段を備えることによって、映像信号の切り替えを良好に行うことができるものである。
【００１４】
請求項５の発明によれば、記憶手段には入力される映像信号が圧縮されて記憶され伸長されて取り出されることによって、記録手段の記録容量を少なくすることができるものである。
【００１５】
請求項６の発明によれば、記録開始操作によって記憶手段に記憶された映像信号が記録手段に記録される際には、記憶された映像信号が任意のフレームまたはフィールドごとに間引かれて取り出されることによって、映像信号の時間調整が行われるものである。
【００１６】
請求項７の発明によれば、入力された映像信号と記憶手段からの遅延された映像信号とを切り換える切換手段を備え、記憶手段から取り出される映像信号が入力される映像信号に追いついたとき、切換手段を切り換えるようにしたことによって、映像信号の時間調整が良好に行われるものである。
【００１７】
請求項８の発明によれば、映像信号と共に音声信号の所定時間分を記憶する音声記憶手段が設けられ、音声記憶手段には入力される音声信号が常時記憶されて所定時間分遅延された音声信号が取り出されてなり、記録開始操作によって音声記憶手段に記憶された音声信号が映像信号と共に記録手段に記録されることによって、音声信号を伴う映像信号の記録を行うことができるものである。
【００１８】
請求項９の発明によれば、記憶手段には、入力される映像信号が圧縮されて記憶され伸張されて取り出されると共に、入力される音声信号が圧縮されずに記憶され取り出されることによって、音声信号を伴う映像信号の記録を良好に行うことができるものである。
【００１９】
請求項１０の発明によれば、音声記憶手段には入力される音声信号が圧縮されて記憶され伸長されて取り出されることによって、音声信号を伴う映像信号の記録を、記録容量を大幅に増やすことなく行うことができるものである。
【００２０】
これによって従来の装置では、例えばテレビジョン放送の視聴中に記録したい場面を見てから記録操作を行っても、記録されるのはその場面より後の場面だけであったものを、本発明によればそのような問題点を容易に解消することができるものである。
【発明を実施するための最良の形態】
【００２１】
このため本発明においては、所定時間分の信号を記憶する記憶手段を設け、記憶手段に記憶された信号を記録手段に記録するようにしたものであって、これによれば、記録操作を行う以前の所定時間分の信号を記憶して、所望の場面より前の場面から記録を行うことができ、所望の場面を確実に記録することができる。
【００２２】
すなわち本発明においては、映像信号を記録する記録手段と、映像信号の所定時間分を記憶する記憶手段とが設けられ、記憶手段には入力される映像信号が常時記憶されて所定時間分遅延された映像信号が取り出されてなり、記録開始操作によって記憶手段に記憶された映像信号が記録手段に記録されるものである。
【００２３】
以下、図面を参照して本発明を説明するに、図１は本発明を適用した記録装置の一例の構成を示すブロック図である。すなわち図１において、入力端子１には、例えば受信機（図示せず）で受信されたテレビジョン放送の映像及び音声信号が供給される。そしてこの入力端子１に供給された映像及び音声信号が分配器２及び切り換えスイッチ３を通じて記録手段（例えばＶＴＲ装置）４に供給される。さらにこの記録手段４からの再生信号が出力端子５に取り出される。
【００２４】
それと共に、分配器２によって、映像及び音声信号が記憶手段６に常時供給されている。そしてこの記憶手段６に記憶された映像及び音声信号が切り換えスイッチ３を通じて記録手段４に供給される。さらに切り換えスイッチ３及び記録手段４の動作は、例えば制御用のマイクロコンピュータ１００によって制御される。またこのマイクロコンピュータ１００には記録開始の操作を行う記録操作スイッチ７及びその表示手段８が接続される。
【００２５】
すなわちこの装置において、操作部には例えば図２に示すように、プッシュボタン式の記録操作スイッチ７が設けられると共に、記録中であることを示す発光ダイオード若しくは蛍光表示管からなる表示手段８が設けられる。そしてこの記録操作スイッチ７が操作されることによって、例えばマイクロコンピュータ１００を通じて切り換えスイッチ３及び記録手段４が制御され、例えば記憶手段６に記憶された映像及び音声信号が記録手段４に記録されるものである。
【００２６】
従ってこの装置において、映像信号を記録する記録手段４と、映像信号の所定時間分を記憶する記憶手段６とが設けられ、記憶手段６には入力される映像信号が常時記憶されて所定時間分遅延された映像信号が取り出されてなり、記録開始操作（記録操作スイッチ７）によって記憶手段６に記憶された映像信号が記録手段４に記録されるものである。
【００２７】
さらにこの装置において、記憶手段６の具体的な構成は例えば図３に示すようにされる。すなわち図３において、入力端子１１には例えば受信機（図示せず）で受信されたテレビジョン放送の映像信号が供給される。そしてこの入力端子１１に供給された映像信号が、分配器１２及び切り換えスイッチ１３を通じて記録手段４に接続される出力端子１４に取り出される。
【００２８】
それと共に、分配器１２によって、入力端子１１に供給された映像信号がＡ／Ｄ変換回路１５に供給される。そしてこのＡ／Ｄ変換回路１５でデジタル化された映像信号が、例えば後述するＪＰＥＧ（Joint Photographic Expert Group ）で規定される映像信号の圧縮回路１６に供給され、圧縮されたデジタル映像信号がランダムアクセスメモリ（ＲＡＭ）１７に供給されて記憶される。
【００２９】
さらにこのＲＡＭ１７から読み出されたデジタル映像信号が、上述の圧縮回路１６と対の伸長回路１８に供給され、伸長されたデジタル映像信号がＤ／Ａ変換回路１９に供給される。そしてこのＤ／Ａ変換回路１９でアナログ化された映像信号が、上述の切り換えスイッチ１３に供給される。なお、切り換えスイッチ１３及びＲＡＭ１７の動作は、例えば制御用のマイクロコンピュータ１００によって制御される。
【００３０】
そしてこの装置において、上述の圧縮回路１６及び伸長回路１８の動作は、例えば制御用のマイクロコンピュータ１００からの制御信号に従ってＪＰＥＧ制御回路２０によって制御されるものである。
【００３１】
すなわち例えばＪＰＥＧ方式では、例えばテレビジョン放送のラスタースキャンされた映像信号が８×８ピクセルのブロックに変換される。そしてこのブロックごとに離散コサイン変換されてデータの大きさの順に並べ替えられる。さらにこの並べ替えられた画素ブロックに対してジグザグスキャンが行われ、スキャンされたデータに対してハフマン符号化処理によって圧縮が行われる。なお、ここまでの圧縮処理は可逆圧縮である。
【００３２】
ここで、例えばＣＣＩＲ６０１フォーマットに従って、有効画面の画素数を６４０×４８０ピクセルとし、各データのビット数を８ｂｉｔ、輝度（Ｙ）及び色差（Ｕ／Ｖ）信号の重み付けをＹ：Ｕ：Ｖ＝４：２：２とすると、１フレームの映像信号のデータ量はＹ＝６４０×４８０×８ｂｉｔＵ＝３２０×４８０×８ｂｉｔＶ＝３２０×４８０×８ｂｉｔとなり、その合計は、４９１５２００ｂｉｔ＝４８００ｋｂｉｔとなる。
【００３３】
そこで、さらにデータを間引く非可逆圧縮を行う。すなわちこの場合に、画質保持を考慮して例えば１／４の圧縮とすると、データ量は、４８００ｋｂｉｔ×（１／４）＝１２００ｋｂｉｔとなる。またデータ伝送速度は、元のクロック周波数を１３．５ＭＨｚとして１３．５ＭＨｚ×（１／４）＝３．３７５ＭＨｚ≒２９６ｎｓｅｃとなる。
【００３４】
さらに例えば１／８に圧縮した場合には、データ量は、４８００ｋｂｉｔ×（１／８）＝６００ｋｂｉｔとなる。またデータ伝送速度は、１３．５ＭＨｚ×（１／８）＝１．６８７５ＭＨｚ≒５９３ｎｓｅｃとなる。
【００３５】
そしてこのように圧縮された映像信号のデータに対して、例えば５秒間分のデータを記憶しようとした場合には、例えば１／４の圧縮では、１．２Ｍｂｉｔ×３０×５＝１８０Ｍｂｉｔ分のランダムアクセスメモリ（ＲＡＭ）が必要とされる。
【００３６】
また、例えば１／８の圧縮では、０．６Ｍｂｉｔ×３０×５＝９０Ｍｂｉｔ分のランダムアクセスメモリが必要とされる。
【００３７】
すなわち上述のメモリ７として、以上で計算されたような記憶容量のランダムアクセスメモリを設けることによって、上述の装置において、メモリ７に例えば５秒間分の映像信号の記憶を行うことができる。なお、圧縮されたデータの伸長は、非可逆圧縮に関しては任意の補間手段によって行われ、さらにハフマン符号化処理の解読、及び逆離散コサイン変換によって元のデジタル映像信号のデータが復元されるものである。
【００３８】
さらに図３において、入力端子２１には例えばテレビジョン放送の音声信号が供給される。そしてこの入力端子２１に供給された音声信号が、分配器２２及び切り換えスイッチ２３を通じて記録手段４に接続される出力端子２４に取り出される。それと共に、分配器２２によって、入力端子２１に供給された音声信号がＡ／Ｄ変換回路２５に供給される。そしてこのＡ／Ｄ変換回路２５でデジタル化された音声信号が記憶される。
【００３９】
ここで音声信号の記憶はデータ量が比較的少ないのでこのままでも行うことができる。すなわち音声信号のデータ量は、例えば６秒間で１０Ｍｂｉｔ程度である。しかしさらに長時間の記憶が必要な場合や、メモリの記憶容量を削減したい場合には、例えばミニディスクで採用されているＡＴＲＡＣ（Adaptive Transform Acoustic Coding）方式を用いてデータを圧縮することができる。
【００４０】
すなわち図３はＡＴＲＡＣ方式を用いてデータを圧縮する場合を示しており、この図において、Ａ／Ｄ変換回路２５からのデジタル化された音声信号がＡＴＲＡＣ方式の圧縮回路２６に供給され、圧縮されたデジタル音声信号がメモリ制御回路２７を通じてランダムアクセスメモリ（ＲＡＭ）２８に供給されて記憶される。なお、ＡＴＲＡＣ方式によるデータ量の圧縮は１／５である。
【００４１】
そしてさらにこのＲＡＭ２８から読み出されたデジタル音声信号が、上述の圧縮回路２６と対の伸長回路２９に供給され、伸長されたデジタル音声信号がＤ／Ａ変換回路３０に供給される。そしてこのＤ／Ａ変換回路３０でアナログ化された映像信号が、上述の切り換えスイッチ２３に供給される。なお、切り換えスイッチ２３及び制御回路２７の動作は、例えば制御用のマイクロコンピュータ１００によって、上述の映像信号と同期が取れるように制御される。
【００４２】
従ってこの装置において、所定時間分の信号を記憶する記憶手段を設け、記憶手段に記憶された信号を記録手段に記録することによって、記録操作を行う以前の所定時間分の信号を記憶して、所望の場面より前の場面から記録を行うことができ、所望の場面を確実に記録することができる。
【００４３】
これによって、従来の装置では、例えばテレビジョン放送の視聴中に記録したい場面を見てから記録操作を行っても、記録されるのはその場面より後の場面だけであったという問題点があったものを、本発明によれば、所望の場面より前の場面から記録を行うことができ、所望の場面を確実に記録することができるものである。
【００４４】
なお上述の装置において、供給される入力信号がデジタルの場合には、例えば図３においてＡ／Ｄ変換回路１５、２５の後にデジタル入力端子３１、３２を設けて、デジタル信号の供給を行うことができる。またＤ／Ａ変換回路１９、３０の前にデジタル出力端子３３、３４を設けて、デジタル信号の取り出しを行うことができる。ただしこの場合に、供給されるデジタル信号のフォーマットはＡ／Ｄ変換回路１５、２５の出力に合っている必要がある。
【００４５】
また上述の装置において、記録停止の操作が行われたときには、上述の記憶手段６で記憶が行われている時間分、実際の停止動作を遅らせる必要がある。すなわち上述の装置において、記憶手段６では、単純には入力された信号が遅延されて取り出されているものであり、従ってこの遅延の時間分、実際の停止動作を遅らせる必要がある。
【００４６】
これに対して、例えば上述の記憶手段６から信号を取り出す際に、例えば映像信号を任意のフレームまたはフィールドごとに間引いて取り出し、音声信号も任意のタイミングでデータを間引いて取り出すことによって、上述の遅延時間を徐々に解消することができる。
【００４７】
これによって、例えば視聴しながら記録を行っている場合に、記憶手段６を通じて取り出される信号を実時間に追いつかせ、上述の実際の停止動作の遅れによる違和感等を解消することができる。またこれによって、信号が実時間に追いついた後は、スイッチ３を切り換えることで、記録手段４で記録される信号を圧縮伸長を伴わない信号に切り換えて、圧縮伸長による画質や音質の劣化の無い信号の記録が行われるようにすることができる。
【００４８】
こうして上述の記録装置によれば、映像信号を記録する記録手段と、映像信号の所定時間分を記憶する記憶手段とが設けられ、記憶手段には入力される映像信号が常時記憶されて所定時間分遅延された映像信号が取り出されてなり、記録開始操作によって記憶手段に記憶された映像信号が記録手段に記録されることにより、所望の場面より前の場面から記録を行うことができ、所望の場面を確実に記録することができるものである。
【００４９】
なお本発明は、上述の説明した実施形態に限定されるものではなく、本発明の精神を逸脱することなく種々の変形が可能とされるものである。
【図面の簡単な説明】
【００５０】
【図１】本発明の適用される記録装置の一例の構成図である。
【図２】その動作の説明のための図である。
【図３】本発明の適用される記録装置の要部の一例の構成図である。
【符号の説明】
【００５１】
１…入力端子、２…分配器、３…切り換えスイッチ、４…録手段、５…出力端子、６…記憶手段、７…記録操作スイッチ、８…表示手段、１００…制御用のマイクロコンピュータ、１１…入力端子、１２…分配器、１３…切り換えスイッチ、１４…出力端子、１５…Ａ／Ｄ変換回路、１６…ＰＥＧ方式の圧縮回路、１７…ランダムアクセスメモリ、１８…伸長回路、１９…Ｄ／Ａ変換回路、２０…ＪＰＥＧ制御回路、２１…入力端子、２２…分配器、２３…切り換えスイッチ、２４…出力端子、２５…Ａ／Ｄ変換回路、２６…ＡＴＲＡＣ方式の圧縮回路、２７…メモリ制御回路、２８…ランダムアクセスメモリ、２９…伸長回路、３０…Ｄ／Ａ変換回路、３１，３２…デジタル入力端子、３３，３４…デジタル出力端子
【図１】
2006211707.tif 000003
【図２】
2006211707.tif 000004
【図３】
2006211707.tif 000005